(57)【要約】【課題】漏水調査の結果を客観的に把握することができる報告書を作成する。【解決手段】報告書作成装置１３は、報告書データを作成する。報告書データは、報告書表示装置で表示することにより漏水調査に関する報告書が表示される。振動取得部３４は、漏水調査において録音された振動データを示すデータを取得する。報告書作成部３５は、報告書のなかに再生操作部分が表示されるよう構成された報告書データを作成する。表示された再生操作部分を操作することにより、振動取得部３４が取得したデータによって示される振動データが再生される。【選択図】図４
2018005383.tif 000002
【特許請求の範囲】
【請求項１】
所定の報告書表示装置で表示することにより漏水調査に関する報告書が表示される報告書データを作成する報告書作成装置であって、
前記漏水調査において録音された振動データを示すデータを取得する振動取得部と、
前記振動取得部が取得したデータによって示される振動データを再生するための再生操作部分が前記報告書のなかに表示されるよう構成された報告書データを作成する報告書作成部と
を備える、報告書作成装置。
【請求項２】
請求項１の報告書作成装置が、更に、
前記漏水調査を実施した時刻を表す時刻データを取得する時刻取得部
を備え、
前記振動取得部が、前記時刻データに基づいて、あらかじめ記憶された複数の振動データのなかから、前記漏水調査において録音された振動データを抽出して、抽出した振動データを示すデータを取得する、
報告書作成装置。
【請求項３】
請求項１の報告書作成装置が、更に、
漏水修繕工事を実施した時刻を表す時刻データを取得する時刻取得部
を備え、
前記振動取得部が、前記時刻データに基づいて、あらかじめ記憶された複数の振動データのなかから、前記漏水修繕工事の前に実施された漏水調査において録音された振動データと、前記漏水修繕工事の後に実施された漏水調査において録音された振動データとを抽出して、抽出した振動データを示すデータを取得する、
報告書作成装置。
【請求項４】
請求項１乃至３いずれかの報告書作成装置が、更に、
前記漏水調査を実施した場所を表す場所データを取得する場所取得部
を備え、
前記振動取得部が、前記場所データに基づいて、あらかじめ記憶された複数の振動データのなかから、前記漏水調査において録音された振動データを抽出して、抽出した振動データを示すデータを取得する、
報告書作成装置。
【請求項５】
請求項１乃至３いずれかの報告書作成装置が、更に、
漏水修繕工事を実施した場所を表す場所データを取得する場所取得部
を備え、
前記振動取得部が、前記場所データに基づいて、あらかじめ記憶された複数の振動データのなかから、前記漏水修繕工事を実施した場所の近くで実施された漏水調査において録音された振動データを抽出して、抽出した振動データを示すデータを取得する、
報告書作成装置。
【請求項６】
請求項４又は５の報告書作成装置において、
前記報告書作成部が、前記場所データによって表される場所の地図が前記報告書のなかに表示され、前記再生操作部分が、前記地図のなかで前記漏水調査を実施した場所に関連付けられて、表示されるよう構成された報告書データを作成する、
報告書作成装置。
【請求項７】
請求項１乃至６いずれかの報告書作成装置において、
前記報告書作成部が、前記振動データを解析して得られた漏水の可能性を表す可能性表示部分が、前記再生操作部分に関連付けられて、前記報告書のなかに表示されるよう構成された報告書データを作成する、
報告書作成装置。
【請求項８】
請求項１乃至７いずれかの報告書作成装置において、
前記報告書作成部が、前記振動取得部が取得したデータによって示される振動データの波形画像が、前記報告書のなかに表示されるよう構成された報告書データを作成する、
報告書作成装置。
【請求項９】
コンピュータによって実行されることにより、前記コンピュータが請求項１乃至７いずれかの報告書作成装置として機能するよう構成された、コンピュータプログラム。
【請求項１０】
所定の報告書表示装置で表示することにより漏水調査に関する報告書が表示される報告書データであって、
前記漏水調査において録音された振動データを再生するための再生操作部分が前記報告書のなかに表示されるよう構成された、
報告書データ。
【発明の詳細な説明】
【技術分野】
【０００１】
本発明は、漏水調査や漏水修繕工事に関する報告書及びそれを作成する報告書作成装置に関する。
【背景技術】
【０００２】
特許文献１は、漏水調査のため、作業員が携帯し、現場で水道管や水道メータなどに接触させることにより、振動センサで振動音を検出し、検出した振動音を表す振動データを記録する漏水検査装置を開示している。記録された振動データを解析することにより、漏水を発見することができる。
特許文献２及び３は、水道検針員が検針の際に携帯して使用できる漏水検査装置を開示している。これにより、大量の振動データを容易に収集することができ、早期に漏水を発見して修繕工事を実施することができる。
漏水調査や漏水修繕工事に関する報告書は、紙媒体で作成され、水道局などの報告先に提出される。
【先行技術文献】
【特許文献】
【０００３】
【特許文献１】特開２０１５−８８１４９号公報
【特許文献２】特許５８７９４５５号
【特許文献３】特許５９３３７９８号
【発明の概要】
【発明が解決しようとする課題】
【０００４】
従来の紙媒体による報告書では、発見された漏水の程度や漏水修繕工事の成果などを客観的に把握することが難しい。例えば、漏水調査報告書には、漏水調査員が実際に振動音を聞いて推定した推定漏水量が記載される。報告先では、この推定漏水量に基づいて、修繕工事の優先順位を判断する。しかし、同じ漏水量でも調査員により推定漏水量が異なる場合があり、工事の優先順位を正しく判断できない場合がある。
本発明は、大量に収集された振動データを活用することにより、調査の結果を客観的に把握できるようにすることを目的とする。
【課題を解決するための手段】
【０００５】
本発明に係る報告書作成装置は、所定の報告書表示装置で表示することにより漏水調査に関する報告書が表示される報告書データを作成する報告書作成装置であって、前記漏水調査において録音された振動データを示すデータを取得する振動取得部と、前記振動取得部が取得したデータによって示される振動データを再生するための再生操作部分が前記報告書のなかに表示されるよう構成された報告書データを作成する報告書作成部とを備える。
前記報告書作成装置が、更に、前記漏水調査を実施した時刻を表す時刻データを取得する時刻取得部を備え、前記振動取得部が、前記時刻データに基づいて、あらかじめ記憶された複数の振動データのなかから、前記漏水調査において録音された振動データを抽出して、抽出した振動データを示すデータを取得してもよい。
前記報告書作成装置が、更に、漏水修繕工事を実施した時刻を表す時刻データを取得する時刻取得部を備え、前記振動取得部が、前記時刻データに基づいて、あらかじめ記憶された複数の振動データのなかから、前記漏水修繕工事の前に実施された漏水調査において録音された振動データと、前記漏水修繕工事の後に実施された漏水調査において録音された振動データとを抽出して、抽出した振動データを示すデータを取得してもよい。
前記報告書作成装置が、更に、前記漏水調査を実施した場所を表す場所データを取得する場所取得部を備え、前記振動取得部が、前記場所データに基づいて、あらかじめ記憶された複数の振動データのなかから、前記漏水調査において録音された振動データを抽出して、抽出した振動データを示すデータを取得してもよい。
前記報告書作成装置が、更に、漏水修繕工事を実施した場所を表す場所データを取得する場所取得部を備え、前記振動取得部が、前記場所データに基づいて、あらかじめ記憶された複数の振動データのなかから、前記漏水修繕工事を実施した場所の近くで実施された漏水調査において録音された振動データを抽出して、抽出した振動データを示すデータを取得してもよい。
前記報告書作成部が、前記場所データによって表される場所の地図が前記報告書のなかに表示され、前記再生操作部分が、前記地図のなかで前記漏水調査を実施した場所に関連付けられて、表示されるよう構成された報告書データを作成してもよい。
前記報告書作成部が、前記振動データを解析して得られた漏水の可能性を表す可能性表示部分が、前記再生操作部分に関連付けられて、前記報告書のなかに表示されるよう構成された報告書データを作成してもよい。
前記報告書作成部が、前記振動取得部が取得したデータによって示される振動データの波形画像が、前記報告書のなかに表示されるよう構成された報告書データを作成してもよい。
本発明に係る報告書データは、所定の報告書表示装置で表示することにより漏水調査に関する報告書が表示される報告書データであって、前記漏水調査において録音された振動データを再生するための再生操作部分が前記報告書のなかに表示されるよう構成される。
【発明の効果】
【０００６】
本発明に係る報告書作成装置及び報告書データによれば、再生操作部分により、振動データを簡単に再生できるので、調査の結果を客観的に把握することができる。例えば、一人の担当者が複数の報告書における振動音を聞き比べられるので、工事の優先順位を正しく判断できる。
調査実施時刻や調査実施場所に基づいて振動データを抽出すれば、大量の振動データのなかなら、漏水調査に関する報告書に含めるべき振動データを容易に見つけることができる。
工事実施時刻や工事実施場所に基づいて振動データを抽出すれば、大量の振動データのなかなら、漏水修繕工事に関する報告書に含めるべき振動データを容易に見つけることができる。
再生操作部分を調査実施場所に関連付けて表示すれば、調査実施場所と漏水場所との位置関係を容易に把握することができる。また、交通量の多い道路など二次災害が発生する可能性のある施設が漏水場所の近くにあることを容易に把握できるので、工事の優先順位を正しく判断できる。
可能性表示部分を再生操作部分に関連付けて表示すれば、調査結果と漏水との関係を容易に把握することができる。
波形画像を表示すれば、振動データを再生できない環境であっても、調査の結果を客観的に把握することができる。
【図面の簡単な説明】
【０００７】
【図１】報告システムを示すブロック図。
【図２】報告書を示す図。
【図３】報告書を示す図。
【図４】報告書作成装置を示すブロック図。
【発明を実施するための形態】
【０００８】
図１に示す報告システムは、漏水調査や漏水修繕工事の結果を報告するためのシステムであり、例えば、漏水検査装置１１、検査結果記憶装置１２、報告書作成装置１３、報告書表示装置１４などを備える。なお、これらの装置は、専用のハードウェアを備える装置であってもよいし、汎用のコンピュータがコンピュータプログラムを実行することによりこれらの装置として機能するものであってもよい。
【０００９】
漏水検査装置１１は、作業員が携帯し、現場で水道管や水道メータなどに接触させて、振動センサで振動音を検出する装置である。検出した振動音は、振動データとして記録される。振動データは、例えばＷＡＶ形式の音声データして記録される。漏水検査装置１１は、録音した振動データに関連付けて、漏水調査をした時刻や場所、すなわち、振動データを録音した時刻や場所を示すデータを記録する。ここでいう「時刻」は、一日のなかの時刻だけでなく、日付も含むものである。場所を示すデータは、例えば住所データなどであってもよいし、ＧＰＳを使って測定した緯度・経度データであってもよい。あるいは、水道メータのメータ番号など、場所に紐付けられたデータであってもよい。
【００１０】
検査結果記憶装置１２は、漏水検査装置１１が録音した振動データを記憶する。振動データは、例えば、漏水検査装置１１が検査結果記憶装置１２に送信してもよいし、漏水検査装置１１に装着された記憶媒体に一時的に記憶し、記憶媒体を漏水検査装置１１から外して検査結果記憶装置１２に装着し、記憶媒体から検査結果記憶装置１２が読み出してもよい。検査結果記憶装置１２は、振動データに関連付けて、漏水調査をした時刻や場所を示すデータを記憶する。検査結果記憶装置１２は、更に付加的なデータを、振動データに関連付けて記憶してもよい。例えば、漏水検査装置１１が振動データに関連付けて水道メータのメータ番号を、場所を示すデータとして記録した場合において、水道メータ・データベースを検索して、そのメータの設置位置を取得し、その緯度・経度を振動データに関連付けて記憶してもよい。あるいは、振動データを解析して、時間積分値など漏水の可能性を表す数値を算出し、その数値を振動データに関連付けて記憶してもよい。
【００１１】
報告書作成装置１３は、例えば水道局などに対して、漏水調査や漏水修繕工事の結果を報告するための電子報告書を表す報告書データを作成する。
報告書表示装置１４は、例えば水道局などに設置され、報告書作成装置１３が作成した電子報告書を表示する。
電子報告書は、例えば、表計算ソフトやワープロソフトなどで表示可能な形式のデータであってもよいし、ウェブ・ブラウザなどで表示可能なＨＴＭＬ形式や、ＸＭＬ形式などその他の既存形式のデータであってもよいし、独自形式のデータであってもよい。
【００１２】
図２に示す報告書９０ａは、漏水調査の結果を報告するための報告書の一例であり、報告書作成装置１３が作成した報告書データを報告書表示装置１４が表示したとき、報告書表示装置１４の画面に表示されるものである。
報告書９０ａは、例えば、日付９１、漏水場所９２、地図９３、漏水内容９４、備考９５などを含む。日付９１は、漏水調査を実施した日付を示す。漏水場所９２は、漏水調査により発見された漏水場所の住所などを示す。地図９３は、例えば、漏水場所付近の建物や道路の配置、配水管９３１・給水管９３２・仕切弁９３３・メータ９３４などの給配水設備の配置、特定された漏水箇所９３５の位置、漏水調査で録音した振動データを解析して得られた積分値など漏水の可能性を表す可能性表示部分９３６、漏水調査で録音した振動データを再生するためのボタンやリンクなどの再生操作部分９３７などを含む。このうち、同じ振動データに関する可能性表示部分９３６及び再生操作部分９３７は、隣接して表示するなどして互いに関連付けられ、更に、矢印などにより、その振動データを録音した場所に関連付けて表示される。なお、可能性表示部分９３６には、漏水の可能性に対応する色（例えば、漏水の可能性が高ければ赤、低ければ黄、なければ緑など）を表示してもよい。その場合、可能性表示部分９３６に、積分値などの数値を表示してもよいし、しなくてもよい。また、再生操作部分９３７は、操作可能であることを表す形状であれば、ボタンやリンクに限らない。
【００１３】
図３に示す報告書９０ｂは、漏水修繕工事の結果を報告するための報告書の一例である。報告書９０ｂは、報告書９０ａの内容に加えて、修繕工事の実施後に、漏水が止まったことを確認するために実施した漏水調査で録音した振動データを再生するための再生操作部分９３８を含む。なお、日付９１は、工事を実施した日付を示す。
【００１４】
報告書表示装置１４で報告書９０ａ，９０ｂを閲覧している閲覧者が、再生操作部分９３７，９３８をマウスでクリックするなどの再生操作をすると、報告書表示装置１４は、漏水調査で録音された振動データを再生する。録音された振動音を閲覧者が聞くことができるので、漏水の状態や修繕工事の結果を客観的に把握することができる。なお、再生操作により、単に振動データが再生されるだけでなく、再生されている振動データの波形グラフが表示されてもよい。波形グラフは、時間領域での波形を表すものでもよいし、フーリエ変換により変換された周波数領域でのスペクトル波形を表すものでもよい。
【００１５】
なお、可能性表示部分９３６や再生操作部分９３７，９３８は、地図９３のなかの振動データの録音場所に関連付けられてさえいれば、地図９３の外に表示されてもよい。
また、報告書９０ａ，９０ｂは、上述した内容に加えて、漏水調査や修繕工事の現場で撮影した写真を含んでもよいし、漏水調査で録音した振動データを表す波形グラフを含んでもよい。報告書に波形グラフが含まれていれば、報告書を印刷して振動データを再生できない状態となった場合でも、漏水の状態や修繕工事の結果を客観的に把握することができる。また、報告書表示装置１４は、電子報告書を画面に表示したときは、再生操作部分を表示し、プリンタに印刷したときは、再生操作部分の代わりに波形グラフを印刷するよう構成してもよい。
【００１６】
図４に示す報告書作成装置１３は、例えば、種別取得部３１、時刻取得部３２、場所取得部３３、振動取得部３４、報告書作成部３５などを備える。
種別取得部３１は、報告書作成装置１３が作成すべき報告書の種別を示すデータを取得する。例えば、報告書作成装置１３を使って電子報告書を作成する作成者が、キーボードやマウスなどの入力装置を操作することにより、報告書の種別を入力し、入力された種別を種別取得部３１が取得する。上述したように、報告書には、漏水調査の結果を報告するための報告書と、漏水修繕工事の結果を報告するための報告書とがある。報告書の種別は、これから作成する報告書が、どちらの報告書であるかを示す。
時刻取得部３２は、漏水調査や漏水修繕工事を実施した時刻を示すデータを取得する。例えば、報告書作成装置１３を使って電子報告書を作成する作成者が入力装置を操作することにより、時刻を入力し、入力された時刻を時刻取得部３２が取得する。
場所取得部３３は、漏水調査や漏水修繕工事を実施した場所を示すデータを取得する。例えば、報告書作成装置１３を使って電子報告書を作成する作成者が入力装置を操作することにより、場所を入力し、入力された場所を場所取得部３３が取得する。場所の入力は、例えば、住所を表す文字列を入力してもよいし、地図を表示して、表示した地図のなかから場所を選択してもよい。あるいは、修繕工事実施前に作成した漏水調査の報告書データから漏水場所を示すデータを抽出して、場所取得部３３が取得してもよい。
なお、時刻取得部３２や場所取得部３３は、作成者が入力した時刻や場所を取得するのではなく、例えば、検査結果記憶装置１２が新しい振動データを記憶した場合に、新しく記憶した振動データに関連付けて検査結果記憶装置１２が記憶した時刻や場所を取得してもよい。これにより、報告書作成を自動化することができる。
【００１７】
振動取得部３４は、作成する報告書に含めるべき振動データを示すデータを取得する。振動データを示すデータは、振動データそれ自体であってもよいし、振動データの保存場所を示すパス名やＵＲＩなどのデータであってもよい。
振動取得部３４は、種別取得部３１が取得した種別、時刻取得部３２が取得した時刻、場所取得部３３が取得した場所などに基づいて、検査結果記憶装置１２が記憶した振動データのなかから、報告書に含めるべき振動データを探し出す。
【００１８】
例えば、修繕工事実施前の漏水調査に関する報告書の場合、振動取得部３４は、検査結果記憶装置１２が記憶した振動データのなかから、時刻取得部３２が取得した時刻に近い時刻に、場所取得部３３が取得した場所の付近で録音された振動データを抽出する。なぜなら、時刻取得部３２及び場所取得部３３が取得する時刻や場所が、漏水調査を実施した時刻や場所と正確に一致するとは限らない。また、その付近で実施した別の漏水調査により、同じ漏水による漏水音が別の振動データに録音されている可能性もある。その場合、一つの漏水に関係する複数の漏水調査を一つの報告書にまとめるほうがよい。抽出する時刻の範囲は、例えば、時刻取得部３２が取得した時刻の前後数分〜数時間の範囲内であらかじめ定められた所定の範囲であってもよいし、作成者が入力してもよい。また、抽出する場所の範囲は、例えば、場所取得部３３が取得した場所の周囲数ｍ〜数百ｍの範囲内であらかじめ定められた所定の範囲であってもよいし、作成者が入力してもよい。なお、付近の漏水調査を複数回に分けて実施している場合もあるので、時刻を指定せず、場所取得部３３が取得した場所の付近で録音された振動データをすべて抽出してもよい。また、同じ場所で録音された振動データが複数存在する場合には、一番新しい振動データだけを抽出してもよい。
【００１９】
また、修繕工事に関する報告書の場合、振動取得部３４は、検査結果記憶装置１２が記憶した振動データのなかから、場所取得部３３が取得した場所の付近で録音された振動データを抽出する。同じ場所で録音された振動データが複数存在する場合は、時刻取得部３２が取得した時刻よりも前に録音された振動データと、時刻取得部３２が取得した時刻よりも後に録音された振動データとの２つを抽出する。工事実施時刻よりも前に録音された振動データは、漏水の状態を表している。工事実施時刻よりも前に録音された振動データが複数ある場合は、一番新しい振動データが工事前の漏水の状態を一番よく表しているので、一番新しい振動データだけを抽出してもよい。また、工事実施時刻よりも後に録音された振動データは、工事により漏水が止まった状態を表している。なお、近い場所に複数の漏水がある場合、一つの漏水を修繕しても、別の漏水による漏水音が残っている。その場合、最初の工事が終わった後に録音された振動データにより漏水が残っていることを確認し、続けて別の漏水の修繕工事を実施し、その後、再び振動データを録音して、付近の漏水がすべて止まったことを確認することがある。このような場合は、工事実施時刻よりも後に録音された振動データが複数あり、そのなかで一番新しい振動データが、工事完了後の状態を表している。したがって、工事実施時刻よりも後に録音された振動データのなかで一番新しい振動データだけを抽出してもよい。
【００２０】
報告書作成部３５は、報告書データを作成する。報告書作成部３５は、種別取得部３１が取得した種別、時刻取得部３２が取得した時刻、場所取得部３３が取得した場所、振動取得部３４が取得した振動データなどに基づいて、報告書データを作成する。
報告書作成部３５は、時刻取得部３２が取得した時刻の日付部分を示す文字列が、日付９１の欄に表示されるよう、報告書データを構成する。
報告書作成部３５は、場所取得部３３が取得した場所から漏水場所の住所を算出し、算出した住所を示す文字列が、漏水場所９２の欄に表示されるよう、報告書データを構成する。
報告書作成部３５は、住宅地図や管路図などの地理情報データベースから、場所取得部３３が取得した場所の付近の地図や給配水設備の配置などを表すデータを抽出する。報告書作成部３５は、振動取得部３４が取得した振動データの録音場所がすべて含まれる範囲が地図９３の欄に表示できる縮尺や向きを算出して、抽出した地図データを変換する。報告書作成部３５は、変換したデータを使って、場所取得部３３が取得した場所の付近の地図が、地図９３の欄に表示されるよう、報告書データを構成する。
報告書作成部３５は、振動取得部３４が取得した振動データのうち、修繕工事前に録音された振動データについて、可能性表示部分９３６や再生操作部分９３７が表示されるよう、報告書データを構成する。また、修繕工事後に録音された振動データについては、再生操作部分９３８が表示されるよう、報告書データを構成する。更に、可能性表示部分９３６や再生操作部分９３７，９３８を、振動データの録音場所に関連付ける矢印などが表示されるよう、報告書データを構成する。そして、再生操作部分９３７，９３８を操作したとき、それに対応する振動データが再生されるよう、報告書データを構成する。なお、報告書データは、振動データそれ自身を含むものであってもよいし、検査結果記憶装置１２など別の場所に保存された振動データへのリンクを含むものであってもよい。また、報告書データは、報告書表示装置１４が振動データを再生し又は振動データの波形グラフを表示するために実行するプログラムを含むものであってもよい。
また、報告書作成部３５は、振動取得部３４が取得した振動データの波形グラフを表す画像を取得し、取得した波形画像が表示されるよう、報告書データを構成してもよい。
また、報告書作成部３５は、漏水調査時や修繕工事時に撮影した写真が表示されるよう、報告書データを構成してもよい。例えば、漏水調査時や修繕工事時に撮影した写真を表すデータを撮影時刻や撮影場所と関連付けて写真記憶装置に記憶しておき、時刻取得部３２が取得した時刻や場所取得部３３が取得した場所、あるいは、振動取得部３４が取得した振動データの録音時刻や録音場所に基づいて、写真記憶装置から写真データを抽出し、抽出した写真が表示されるよう、報告書データを構成する。
なお、報告書作成部３５が作成する報告書データの具体的な内容については、データ形式によって異なるので詳しく説明しないが、以上の説明から容易に理解できるであろう。
【００２１】
このように、報告書作成装置１３が作成する電子報告書は、漏水調査時に録音した振動データを簡単に再生できるので、調査の結果を客観的に把握することができる。
特に、修繕工事に関する電子報告書は、修繕工事開始前に録音した振動データと、修繕工事完了後に録音した振動データとを簡単に再生できるので、工事の結果を客観的に把握することができる。
振動データの録音場所に関連付けて可能性表示部分や再生操作部分を表示すれば、調査場所と漏水場所との位置関係を客観的に把握することができる。
振動データの波形画像を表示すれば、振動データを再生できない場合でも、調査の結果を客観的に把握することができる。
【００２２】
以上説明した実施形態は、本発明の理解を容易にするための一例である。本発明は、これに限定されるものではなく、添付の特許請求の範囲によって定義される範囲から逸脱することなく様々に修正し、変更し、追加し、又は除去したものを含む。これは、以上の説明から当業者に容易に理解することができる。
【符号の説明】
【００２３】
１０  報告システム、１１  漏水検査装置、１２  検査結果記憶装置、１３  報告書作成装置、１４  報告書表示装置、３１  種別取得部、３２  時刻取得部、３３  場所取得部、３４  振動取得部、３５  報告書作成部、９０ａ，９０ｂ  報告書、９１  日付、９２  漏水場所、９３  地図、９３１  配水管、９３２  給水管、９３３  仕切弁、９３４  メータ、９３５  漏水箇所、９３６  可能性表示部分、９３７，９３８  再生操作部分、９４  漏水内容、９５  備考。
【図１】
2018005383.tif 000003
【図２】
2018005383.tif 000004
【図３】
2018005383.tif 000005
【図４】
2018005383.tif 000006